(57)【要約】【課題】  外部から侵入した塵や内部の作動により発生した塵が、撮像素子に付着して画像データに支障をきたすことのない撮像装置及びこの撮像装置を備えた携帯端末を得る。【解決手段】  撮像素子と、撮像素子に当接する脚部が形成された台座と、撮像素子の撮像領域に被写体光を導く撮像光学系と、撮像素子と台座と撮像光学系を内包する外枠部材と、を有し、台座もしくは台座と外枠部材の一部により、撮像素子の光電変換面側の空間を封止した撮像装置とする。【選択図】        図３
2005045754.tif 000002
【特許請求の範囲】
【請求項１】
撮像素子と、該撮像素子に当接する脚部が形成された台座と、前記撮像素子の撮像領域に被写体光を導く撮像光学系と、前記撮像素子と前記台座と前記撮像光学系を内包する外枠部材と、を有し、
前記台座もしくは前記台座と前記外枠部材の一部により、前記撮像素子の光電変換面側の空間を封止したことを特徴とする撮像装置。
【請求項２】
前記脚部が前記撮像素子と当接した状態で、前記台座の前記脚部と異なる位置にある接着部と前記撮像素子の実装された基板または前記外枠部材を接着し、前記撮像素子の光電変換面側の空間を封止したことを特徴とする請求項１に記載の撮像装置。
【請求項３】
前記撮像光学系は、前記台座に当接する当接部が形成され、前記撮像光学系は弾性部材により前記台座へ付勢されていることを特徴とする請求項１又は２に記載の撮像装置。
【請求項４】
前記台座はカム面を有し、前記カム面上を前記撮像光学系が回動することにより前記撮像光学系を光軸に沿って移動させることを特徴とする請求項１〜３のいずれか１項に記載の撮像装置。
【請求項５】
前記台座は、異なる高さで形成された当接用の水平面を有し、前記撮像光学系は、前記水平面のいずれかを選択して組み込まれることを特徴とする請求項１〜３のいずれか１項に記載の撮像装置。
【請求項６】
前記台座の撮影光束透過部に撮影光学系を構成する光学部材の一部を形成したことを特徴とする請求項１〜５のいずれか１項に記載の撮像装置。
【請求項７】
前記台座に、赤外光カットフィルタを形成したことを特徴とする請求項１〜６のいずれか１項に記載の撮像装置。
【請求項８】
前記撮像光学系は複数の光学部材で構成され、該光学部材は相互に当接していることを特徴とする請求項１〜７のいずれか１項に記載の撮像装置。
【請求項９】
請求項１〜８のいずれか１項に記載の撮像装置を備えたことを特徴とする携帯端末。
【発明の詳細な説明】
【技術分野】
【０００１】
本発明は、撮像装置に関し、特に携帯端末に内蔵される小型で薄型の撮像装置に関するものである。
【背景技術】
【０００２】
従来より、小型で薄型の撮像装置が携帯電話機やＰＤＡ（Ｐｅｒｓｏｎａｌ  Ｄｉｇｉｔａｌ  Ａｓｓｉｓｔａｎｔ）等の小型、薄型の電子機器に搭載されるようになっており、これにより遠隔地へ音声情報だけでなく画像情報も相互に伝送することが可能となっている。
【０００３】
これら携帯端末に内蔵される撮像装置は、撮像光学系の焦点距離が非常に短いことと、開口Ｆ値が２〜４程度のものであるため、像側の焦点深度は非常に浅くなり、撮像面に対する撮像光学系の光軸方向の位置決めには厳しい精度が要求される。また、光電変換をおこなう受光部の各々は数μｍピッチで配置されており、このため、受光素子の上に配置されたマイクロレンズ上に、被写体光束を遮る塵があると被写体画像データに支障をきたすことになる。
【０００４】
これに対し、撮像装置の撮像光学系の位置設定方法と防塵方法に関して提案がなされている。例えば、撮像装置の製造時のピント調整を不要とすべく、光学部材と一体で形成された脚部を撮像素子に当接させ、弾性部材で光学部材を撮像素子方向に付勢することにより、撮像素子と光学部材の光軸方向の位置決めをおこないつつ、防塵、防湿の構造を有したものが開示されている（例えば、特許文献１参照）。
【特許文献１】特開２００３−３７７５８号公報
【発明の開示】
【発明が解決しようとする課題】
【０００５】
上述の携帯端末に搭載される撮像装置も、普及率の増大に伴い高画質化が要望され、高画素数の撮像素子を搭載した撮像装置が要望されている。
【０００６】
しかし、高画質化を目指した撮像素子の高画素数化により画素ピッチは減少し、撮像素子の光電変換面上に付着した塵の許容できる大きさは更に小さくなり、もはや肉眼では視認できない大きさの塵が付着しても被写体光束が遮られて、画像データが得られずに問題となる状況になっている。
【０００７】
これに対し、上記特許文献１に記載の撮像装置は、撮像素子と光学部材との光軸方向の位置決めに調整工程を要せず簡便で、外部からの塵の侵入を防止できる有効な方法であるが、内部では微振動等が長時間かかると、光学部材の脚部と鏡枠の隔壁の接触による摩耗や、脚部と撮像素子の当接部からの摩耗による塵が発生し、撮像素子上面に付着すると被写体光束が遮られ、被写体画像データに支障をきたす欠点を発生させる場合がある。
【０００８】
また、撮像光学系を移動させる、ズームや近接撮影おこなう場合、撮像光学系を移動させるための操作部材や駆動部材との機械的連結が必要であり、この連結部から外部の塵が侵入し、同様の欠点を発生させる問題がある。
【０００９】
本発明は上記の問題に鑑み、外部から侵入した塵や内部の作動により発生した塵が、撮像素子に付着して画像データに支障をきたすことのない撮像装置及びこの撮像装置を備えた携帯端末を得ることを目的とするものである。
【課題を解決するための手段】
【００１０】
上記の課題は、以下のようにすることで解決することができる。
【００１１】
１）  撮像素子と、該撮像素子に当接する脚部が形成された台座と、前記撮像素子の撮像領域に被写体光を導く撮像光学系と、前記撮像素子と前記台座と前記撮像光学系を内包する外枠部材と、を有し、前記台座もしくは前記台座と前記外枠部材の一部により、前記撮像素子の光電変換面側の空間を封止したことを特徴とする撮像装置。
【００１２】
２）  前記脚部が前記撮像素子と当接した状態で、前記台座の前記脚部と異なる位置にある接着部と前記撮像素子の実装された基板または前記外枠部材を接着し、前記撮像素子の光電変換面側の空間を封止した１）の撮像装置。
【００１３】
３）  前記撮像光学系は、前記台座に当接する当接部が形成され、前記撮像光学系は弾性部材により前記台座へ付勢されている１）又は２）の撮像装置。
【００１４】
４）  前記台座はカム面を有し、前記カム面上を前記撮像光学系が回動することにより前記撮像光学系を光軸に沿って移動させる１）〜３）のいずれかの撮像装置。
【００１５】
５）  前記台座は、異なる高さで形成された当接用の水平面を有し、前記撮像光学系は、前記水平面のいずれかを選択して組み込まれる１）〜３）のいずれかの撮像装置。
【００１６】
６）  前記台座の撮影光束透過部に撮影光学系を構成する光学部材の一部を形成した１）〜５）のいずれかの撮像装置。
【００１７】
７）  前記台座に、赤外光カットフィルタを形成した１）〜６）のいずれかの撮像装置。
【００１８】
８）  前記撮像光学系は複数の光学部材で構成され、該光学部材は相互に当接している１）〜７）のいずれかの撮像装置。
【００１９】
９）  １）〜８）のいずれかの撮像装置を備えた携帯端末。
【発明の効果】
【００２０】
本発明の、撮像素子と、撮像素子に当接する脚部が形成された台座と、撮像素子の撮像領域に被写体光を導く撮像光学系と、撮像素子と台座と撮像光学系を内包する外枠部材と、を有し、台座もしくは台座と外枠部材の一部により、撮像素子の光電変換面側の空間を封止した撮像装置、とすることにより、外部から侵入した塵や内部の作動により発生した塵の撮像素子への付着を防止でき、画像データに支障をきたすことのない撮像装置を得ることができる。
【００２１】
また、脚部が撮像素子と当接した状態で、台座の脚部と異なる位置にある接着部と撮像素子の実装された基板または外枠部材を接着し、撮像素子の光電変換面側の空間を封止することにより、接着剤が脚部の下に入り込むことが無く、撮像光学系の光軸方向のズレが生じることが無い。
【００２２】
また、撮像光学系には、台座に当接する当接部が形成され、撮像光学系は弾性部材により台座へ付勢されていることにより、撮像光学系が弾性部材を介して保持されるため外枠部材に外力がかかっても、撮像光学系に直接的に外力がかからないように構成でき、耐久性に富んだものとすることができる。
【００２３】
また、台座はカム面を有し、カム面上を撮像光学系が回動することにより撮像光学系を光軸に沿って移動させるようにすることにより、光軸方向の位置に関与する介在部品を台座のみとすることができ撮像素子と撮像光学系の光軸方向の正確な位置決めをも可能で、低コストで近接撮影も可能な撮像装置を得ることができる。
【００２４】
或いは、台座は、異なる高さで形成された当接用の水平面を有し、撮像光学系は水平面のいずれかを選択して組み込まれるようにすることにより、この場合には固定焦点であるが、撮像光学系のバックフォーカスの製造ばらつきを吸収し、常に所定の被写体距離に焦点の合った撮像装置を得ることができる。
【００２５】
また、台座の撮影光束透過部に撮影光学系を構成する光学部材の一部を形成することにより、部品点数を削減できコストダウンが可能となる。
【００２６】
更に、台座に、赤外光カットフィルタを形成することにより、部品点数を削減できコストダウンが可能であると共に、撮像光学系前方に赤外光カットフィルタを配置する方法に比べ、撮像装置の厚みを薄くすることが可能となる。
【００２７】
また、撮像光学系は複数の光学部材で構成され、該光学部材は相互に当接させることにより、他の部材を介さず構成することで、相互のレンズ間隔を誤差無く組み立てられ、調整工程を不要とできる。
【００２８】
加えて、上記のいずれかの撮像装置を備えた携帯端末とすることで、上述の効果を有する撮像装置を備えた携帯端末を得ることができる。
【発明を実施するための最良の形態】
【００２９】
以下、実施の形態により本発明を詳しく説明するが、本発明はこれに限定されるものではない。
【００３０】
図１は、本発明の撮像装置を内蔵した携帯端末の一例である携帯電話機Ｔの外観を示す図である。
【００３１】
図１に示す携帯電話機Ｔは、表示画面Ｄを備えたケースとしての上筐体７１と、操作ボタンＰを備えた下筐体７２とがヒンジ７３を介して連結されている。撮像装置Ｓは、上筐体７１内の表示画面Ｄの下方に内蔵されており、撮像装置Ｓが上筐体７１の外表面側から光を取り込めるよう配置されている。
【００３２】
上筐体７１の表示画面Ｄの下方には、円弧状の開口部７４とこの開口部７４から操作部材１５が露出するよう配置されている。この操作部材１５を開口部７４内で図示上方へ移動させることによりマクロ撮影時のピント位置に設定される。
【００３３】
なお、この撮像装置の位置は上筐体７１内の表示画面Ｄの上方や側面に配置してもよいし、操作部材１５の位置に関しても同様である。また携帯電話機は折りたたみ式に限るものではないのは、勿論である。
【００３４】
（第１の実施の形態）
図２は、本発明の第１の実施の形態の撮像装置１００の斜視図である。同図の撮像装置１００が、図１における撮像装置Ｓに相当する。
【００３５】
図２に示すように撮像装置１００の外表面は、撮像素子の実装されたプリント基板１１と、携帯端末の他の制御基板に接続のためのコネクト基板１７、このプリント基板１１とコネクト基板１７を接続するフレキシブルプリント基板ＦＰＣ、外枠部材１２、この外枠部材１２の上面に組み込まれる蓋部材１３、外枠部材１２に一体的に形成されたボス１２ｂ上に回動可能に取り付けられる操作部材１５、操作部材１５を回動可能に固定する段付きネジ１６で構成されている。
【００３６】
図３は、撮像装置１００を図２に示すＦ−Ｆ線で切断した断面図である。以下説明の重複を避けるため、同部材には同符号を付与して説明する。
【００３７】
同図において、外枠部材１２の内部は、第１レンズ１、撮像光学系の開口Ｆ値を決める開口絞り４、第２レンズ２、不要光遮断のための固定絞り５ａ、５ｂ、第３レンズ３、で構成された撮像光学系５０と、台座６、プリント基板１１上に実装された撮像素子８、弾性部材である圧縮コイルバネ９、蓋部材１３で構成されている。
【００３８】
本発明に係る台座６は、像面側には撮像素子８に当接する脚部６ｄが少なくとも３箇所に形成されている。
【００３９】
図４は、撮像装置１００に使用する台座６の斜視図である。同図は、撮像光学系５０側から見た図である。
【００４０】
図４に示すように、台座６は透光性の材料により形成され、撮像光学系５０側に高さの低い水平面Ｄと、高さの高い水平面Ｅと、この水平面を連続的に繋ぐ傾斜面Ｆが略１２０°間隔で形成されている（以下カム面と称す）。更に、平行平面板が形成された撮像光束透過部６ｔと、四角形の箱状に形成された枠部６ｈで構成されている。
【００４１】
図３に戻り、この台座６は、枠部６ｈで撮像素子８の周囲を取り囲むように組み込まれ、図示のように、脚部６ｄが撮像素子８に当接した状態で、脚部６ｄとは異なる位置の接着部である枠部６ｈとプリント基板１１とが接着剤Ａ（例えば、紫外線硬化型の接着剤）により接着、封止される。即ち、この台座６により、撮像素子８の光電変換面側の空間Ｃは封止されて、隔絶された空間となり、この空間Ｃへの外部からの塵の侵入を防止できるようになる。
【００４２】
また、脚部６ｄと枠部６ｈの接着部とは異なる面となっているので接着剤Ａが脚部６ｄの下に入り込むことが無く、撮像光学系の光軸方向のズレが生じることも無い。
【００４３】
更に、外枠部材１２は、その外周でプリント基板１１と接着剤Ｂ（例えば、ゴム系の接着剤）により接着固定される。
【００４４】
撮像光学系５０は、図示のように第１レンズ１、第２レンズ２、第３レンズ３を、光学有効面以外のフランジ部で相互に当接させ、接着剤等で互いに固着することでユニット化されており、他の部材を介さず構成することで、相互のレンズ間隔を誤差無く組み立てられている。
【００４５】
この撮像光学系５０を構成する第３レンズ３の撮像面側には、突起３ａが略１２０°間隔で形成され、台座６に形成されたカム面に対応して配置されており、この突起３ａにより台座６のカム面と当接している。更に、第３レンズ３のフランジ部の被写体側には、圧縮コイルバネ９が蓋部材１３と第３レンズ３のフランジ部の間に組み込まれている。この圧縮コイルバネ９により撮像光学系５０と、台座６は撮像素子８方向に付勢されている。
【００４６】
一方、段付きネジ１６により回動可能とされている操作部材１５に形成されたボス１５ｂは、第３レンズ３の二股部３ｆと係合して組み立てられている（図２参照）。図１に示す携帯端末Ｔの開口部７４から露出した、この操作部材１５が使用者により操作される部位である。
【００４７】
このように構成された、撮像装置１００は、操作部材１５の回動操作により、ボス１５ｂに係合する第３レンズ３の二股部３ｆも回動させられ、第３レンズ３に形成された突起３ａは、カム面の低い水平面Ｄから傾斜面Ｆを経由して高い水平面Ｅへ移動し、これにより撮像光学系５０は光軸に沿って、被写体側に移動することになる。これにより、遠距離撮影と近距離撮影を切り替えることができるようになる。
【００４８】
即ち、台座６によって、撮像素子８の光電変換側の空間Ｃを密閉することにより、外部から侵入した塵や内部の作動により発生した塵が回り込んで、撮像素子上に付着し、画像データに支障をきたす問題を解決できる。更に、撮像素子８に当接した脚部６ｄを有する台座６上にカム面を形成し、これに弾性部材で付勢された撮像光学系を当接することにより、光軸方向の位置に関与する介在部品を台座６のみとすることができ撮像素子と撮像光学系の光軸方向の正確な位置決めをも可能で、加えて近接撮影も可能な撮像装置を得ることができる。
【００４９】
（第２の実施の形態）
以下本発明の、第２の実施の形態について説明する。第２の実施の形態は、台座と外枠部材の一部とにより、撮像素子の光電変換面側の空間を封止した例を示すものである。
【００５０】
第２の実施の形態の撮像装置を備えた携帯電話機Ｔの外観及び撮像装置１５０の斜視図は図１及び図２と同様であるので省略する。また、以下の撮像装置１５０が、図１における撮像装置Ｓに相当する。
【００５１】
図５は、本発明の第２の実施の形態に係る撮像装置１５０を図２に示すＦ−Ｆ線で切断した断面図である。以下説明の重複を避けるため、同部材には同符号を付与し、第１の実施の形態と異なる部分について説明する。
【００５２】
同図において、外枠部材１２の内部は、図３と同様の撮像光学系５０と、台座６、プリント基板１１上に実装された撮像素子８、弾性部材である圧縮コイルバネ９、蓋部材１３で構成されている。
【００５３】
同図に示すように、台座６は、像面側には撮像素子８に当接する脚部６ｄが少なくとも３箇所に形成されている。
【００５４】
図６は、撮像装置１５０に使用する台座６の斜視図である。同図は、撮像光学系５０側から見た図である。
【００５５】
図６に示すように、台座６は透光性の材料により形成され、図４と同様に撮像光学系５０側に高さの低い水平面Ｄ、と高さの高い水平面Ｅと、この水平面を連続的に繋ぐ傾斜面Ｆが略１２０°間隔で形成されている（以下カム面と称す）。更に、平行平面板が形成された撮像光束透過部６ｔと、鍔部６ｊと、位置決め用突起６ｋで構成されている。
【００５６】
図５に戻り、この台座６は、外枠部材１２に形成された図示しない切り欠き部と位置決め用突起部６ｋが位置合わせされて組み込まれ、図示のように、接着部である鍔部６ｊ及び位置決め用突起６ｋと外枠部材１２の内接面は接着剤Ａ（例えば、紫外線硬化型の接着剤）により、接着と封止がされる。更に外枠部材１２は、その外周でプリント基板１１とまず接着剤Ａで接着と封止がされ、この後、接着剤Ｂ（例えば、ゴム系の接着剤）により接着され固定される。なおこの場合、接着剤Ｂは補強用であり、省略しても良い。
【００５７】
即ち、台座６と外枠部材１２の外周とにより、撮像素子８の光電変換面側の空間は封止され、隔絶された空間となり、この空間への外部からの塵の侵入を防止できるようになる。
【００５８】
このように構成された、撮像装置１５０は、図３で説明したものと同様の動作で撮像光学系５０は光軸に沿って、被写体側に移動することができ、遠距離撮影と近距離撮影を切り替えることができる。
【００５９】
即ち、台座６と外枠部材の一部によって、撮像素子８の光電変換側の空間を密閉することにより、外部から侵入した塵や内部の作動により発生した塵が回り込んで、撮像素子上に付着し、画像データに支障をきたす問題を解決できる。更に同様に、撮像素子８に当接した脚部６ｄを有する台座６上にカム面を形成し、これに弾性部材９で付勢された撮像光学系を当接することにより、光軸方向の位置に関与する介在部品を台座６のみとすることができ撮像素子と撮像光学系の光軸方向の正確な位置決めをも可能で、加えて近接撮影も可能な撮像装置を得ることができる。
【００６０】
（第３の実施の形態）
以下本発明の、第３の実施の形態について説明する。第３の実施の形態は、台座が、異なる高さで形成された水平の当接面を有し、撮像光学系は、当接面のいずれかを選択して組み込まれるものの例である。
【００６１】
第３の実施の形態の撮像装置を備えた携帯電話機Ｔの外観は図１に示すものから開口部７４、操作部材１５を省略削除したものとなる。以下の撮像装置２００が、図１における撮像装置Ｓに相当する。
【００６２】
図７は、本発明の第３の実施の形態の撮像装置２００の斜視図である。以下説明の重複を避けるため、同機能部材には同符号を付与し、上述の第１、第２の実施の形態と異なる部分について説明する。
【００６３】
同図に示すように撮像装置２００の外表面は、撮像素子の実装されたプリント基板１１と、携帯端末の他の制御基板に接続のためのコネクト基板１７、このプリント基板１１とコネクト基板１７を接続するフレキシブルプリント基板ＦＰＣ、外枠部材１２、この外枠部材１２の上面に組み込まれる蓋部材１３で構成されている。
【００６４】
図８は、本発明の第３の実施の形態に係る撮像装置２００を図７に示すＧ−Ｇ線で切断した断面図である。
【００６５】
同図において、外枠部材１２の内部は、図３と同様の撮像光学系５０と、台座６、プリント基板１１上に実装された撮像素子８、弾性部材である圧縮コイルバネ９、蓋部材１３で構成されている。同図に示すように、台座６は、像面側には撮像素子８に当接する脚部６ｄが少なくとも３箇所に形成されている。
【００６６】
撮像光学系５０を構成する第３レンズのフランジ部の被写体側には、圧縮コイルバネ９が蓋部材１３と第３レンズのフランジ部の間に組み込まれている。この圧縮コイルバネ９により撮像光学系５０と台座６は撮像素子８方向に付勢されている。
【００６７】
図９は、撮像装置２００に使用する台座６の平面図である。同図は、撮像光学系５０側から見た図である。
【００６８】
同図において、台座６は透光性の材料により成形され、撮像光学系５０側に、高さの異なる水平面Ｋ、Ｌ、Ｍ、Ｎが、それぞれ略１２０°間隔で形成され、円周上に３箇所ずつ同じ高さの水平面を有している。即ち、同図の同符号の位置は脚部６ｄ（図８参照）の当接面からの高さが同じであり、異なる高さの４種類の水平面で形成されている。更に、平行平面板に形成された撮像光束透過部６ｔと、鍔部６ｊと、位置決め用突起６ｋが形成されている。
【００６９】
この位置決め用突起６ｋは、外枠部材１２に形成された位置決め部に嵌合されて、円周方向の位置決めがなされるようになっている。上述のそれぞれの水平面の境界線は、図示のように位置決め用突起６ｋの二等分線Ｐを基準に各３０度刻みとなっている。
【００７０】
図８に戻り、この台座６は、外枠部材１２に形成された図示しない切り欠き部と位置決め用突起部６ｋが位置合わせされて組み込まれ、図示のように、接着部である鍔部６ｊ及び位置決め用突起６ｋと外枠部材１２の内接面は接着剤Ａ（例えば、紫外線硬化型の接着剤）により、接着と封止がされる。更に外枠部材１２は、その外周でプリント基板１１とまず接着剤Ａで接着と封止がされ、この後、接着剤Ｂ（例えば、ゴム系の接着剤）により接着され固定される。なおこの場合、接着剤Ｂは補強用であり、省略しても良い。
【００７１】
即ち、台座６と外枠部材１２の外周とにより、撮像素子８の光電変換面側の空間は封止され、隔絶された空間となり、この空間への外部からの塵の侵入を防止できるようになる。
【００７２】
図１０は、撮像光学系５０に形成された当接用の突起３ａと位置決め用突起３ｋの位置関係を示す概略平面図である。同図は撮像光学系５０を被写体側から見た図であり当接用の突起３ａは破線で示してある。
【００７３】
撮像光学系５０を構成する第３レンズの撮像面側には、台座６との当接用の突起３ａが形成され、この突起３ａにより台座の水平面のいずれかと当接するようになっている。また、この突起３ａは図示のように位置決め用突起３ｋの二等分線Ｐを基準に１５度ずれた位置を基準として、１２０度間隔で３箇所に形成されている。
【００７４】
このように構成された、図９に示す台座６と図１０に示す撮像光学系５０を外枠部材１２に組み込み、上述の４つの異なる水平面Ｋ、Ｌ、Ｍ、Ｎのいずれかを選択的に当接させる方法について説明する。
【００７５】
図１１は、外枠部材１２と台座６の位置決め用突起６ｋと第３レンズの位置決め用突起３ｋの位置関係を示す概略図である。
【００７６】
同図に示すように、外枠部材１２には、台座６の位置決め用突起６ｋと撮像光学系の位置決め用突起３ｋと係合する４箇所の凹部Ｗ、Ｘ、Ｙ、Ｚが９０度間隔で形成されている。
【００７７】
図１１（ａ）は、台座６の位置決め用突起６ｋと撮像光学系の位置決め用突起３ｋの双方を、凹部Ｗへ係合させた場合を示している。この場合、第３レンズの当接用の３箇所の突起３ａは、台座６に形成された水平面Ｋ上に位置するようになる。
【００７８】
図１１（ｂ）は、台座６の位置決め用突起６ｋを凹部Ｗへ係合させ、撮像光学系の位置決め用突起３ｋを凹部Ｘへ係合させた場合を示している。この場合、第３レンズの当接用の３箇所の突起３ａは、台座６に形成された水平面Ｎ上に位置するようになる。
【００７９】
図１１（ｃ）は、台座６の位置決め用突起６ｋを凹部Ｗへ係合させ、撮像光学系の位置決め用突起３ｋを凹部Ｚへ係合させた場合を示している。この場合、第３レンズの当接用の３箇所の突起３ａは、台座６に形成された水平面Ｌ上に位置するようになる。
【００８０】
図１１（ｄ）は、台座６の位置決め用突起６ｋを凹部Ｗへ係合させ、撮像光学系の位置決め用突起３ｋを凹部Ｙへ係合させた場合を示している。この場合、第３レンズの当接用の３箇所の突起３ａは、台座６に形成された水平面Ｍ上に位置するようになる。
【００８１】
即ち、台座６の突起６ｋの位置に対し、第３レンズの突起３ｋを外枠部材１２に形成された４箇所の凹部のうち、いずれかを選択して組み込むことにより、撮像素子と第３レンズ、即ち撮像光学系の光軸上の位置を４種類選択できることになる。
【００８２】
これにより、撮像光学系のバックフォーカスの製造ばらつきを、外枠部材１２に形成された４箇所の凹部のいずれかを選択して組み込むことで吸収でき、常に所定の被写体距離に焦点の合った撮像装置を得ることができる。なお、この凹部の選択は、撮像光学系を個々に測定して決めても良いし、製造ロット単位で決めても良い。
【００８３】
なお上述の第１〜第３の実施の形態においては、台座６は赤外光を透過させない機能（赤外光カット機能）を有する材料を用いて形成されたもので、例えば一体成形により製作することができる。このようにすることで、光学系前方に赤外光カットフィルタを配置するよりも、撮像装置全体の厚みを薄くすることができる。なお、台座６の撮像光束透過部６ｔに赤外光カットコーティングを施しても良いし、ガラス製の赤外光カットフィルタを封止接着しても良いのは勿論である。
【００８４】
また、カム面もしくは高さの異なる水平面を有する台座を用いた構成を説明したが、台座の撮像光学系当接面が同一高さで形成されたものであっても本発明を逸脱するものではないのは勿論である。
【００８５】
また、弾性部材として圧縮コイルバネで説明したが、板バネ、スポンジ状の弾性部材等でも良いのは勿論である。
【００８６】
（第４の実施の形態）
以下本発明の、第４の実施の形態について説明する。上述の第１〜第３の実施の形態においては、台座を用いた構成を説明したが、第４の実施の形態は、台座の撮影光束透過部に撮像光学系を構成する光学部材の一部を形成した例について説明する。
【００８７】
第４の実施の形態の撮像装置を備えた携帯電話機Ｔの外観は図１に示すものから開口部７４、操作部材１５を省略削除したものとなる。以下の撮像装置３００が、図１における撮像装置Ｓに相当する。第４の実施の形態の撮像装置３００は、図７と同様の形状であるため省略する。
【００８８】
図１２は、本発明の第４の実施の形態に係る撮像装置３００を図７に示すＧ−Ｇ線で切断した断面図である。
【００８９】
同図において、外枠部材１２の内部は、撮像光学系５０と、プリント基板１１上に実装された撮像素子８、蓋部材１３で構成されている。同図に示すように、撮像光学系５０を構成する第３レンズ３は、脚部６ｄと撮像素子８を包括する四角形又は円形の箱型の枠部６ｈが形成されている。即ち、上述の台座の撮影光束透過部に第３レンズを形成したものである。
【００９０】
撮像光学系５０は、このように形成された第３レンズ３を用いて組み立てられており、図示のように、脚部６ｄが撮像素子８に当接した状態で、脚部６ｄとは異なる位置の接着部である枠部６ｈとプリント基板１１とが接着剤Ａ（例えば、紫外線硬化型の接着剤）により接着、封止される。即ち、この第３レンズ３により、撮像素子８の光電変換面側の空間は封止されて、隔絶された空間となり、この空間への外部からの塵の侵入を防止できるようになる。
【００９１】
また同様に、脚部６ｄと枠部６ｈの接着部とは異なる面となっているので接着剤Ａが脚部６ｄの下に入り込むことが無く、撮像光学系の光軸方向のズレが生じることも無い。
【００９２】
更に、外枠部材１２は、その外周でプリント基板１１と接着剤Ｂ（例えば、ゴム系の接着剤）により接着固定される。
【００９３】
撮像光学系５０は、図示のように第１レンズ１、第２レンズ２、第３レンズ３を、光学有効面以外のフランジ部で相互に当接させ、接着剤等で互いに固着することでユニット化されており、他の部材を介さず構成することで、相互のレンズ間隔を誤差無く組み立てられている。この場合、弾性部材である圧縮コイルバネは、廃止することも可能である。
【００９４】
この場合、赤外光のカットは撮像光学系５０を構成する光学有効面のうちのいずれかに、赤外光カットコーティングを施すことにより、赤外光の透過を防止することでおこなわれる。
【００９５】
このようにすることにより、部品点数を削減できコストダウンが可能となる。
【００９６】
なお、上述の第１〜第４に実施の形態においては、単焦点の撮像装置を用いて説明したが、本発明はこれに限らずズームレンズ等の可変焦点の光学系にも適用可能なのは言うまでもない。
【図面の簡単な説明】
【００９７】
【図１】本発明の撮像装置を内蔵した携帯端末の一例である携帯電話機Ｔの外観を示す図である。
【図２】本発明の第１の実施の形態の撮像装置１００の斜視図である。
【図３】撮像装置１００を図２に示すＦ−Ｆ線で切断した断面図である。
【図４】撮像装置１００に使用する台座の斜視図である。
【図５】本発明の第２の実施の形態に係る撮像装置１５０を図２に示すＦ−Ｆ線で切断した断面図である。
【図６】撮像装置１５０に使用する台座の斜視図である。
【図７】本発明の第３の実施の形態の撮像装置２００の斜視図である。
【図８】本発明の第３の実施の形態に係る撮像装置２００を図７に示すＧ−Ｇ線で切断した断面図である。
【図９】撮像装置２００に使用する台座の平面図である。
【図１０】撮像光学系に形成された当接用の突起と位置決め用突起の位置関係を示す概略平面図である。
【図１１】外枠部材と台座の位置決め用突起と第３レンズの位置決め用突起の位置関係を示す概略図である。
【図１２】本発明の第４の実施の形態に係る撮像装置３００を図７に示すＧ−Ｇ線で切断した断面図である。
【符号の説明】
【００９８】
１  第１レンズ
２  第２レンズ
３  第３レンズ
４  開口絞り
６  台座
８  撮像素子
９  弾性部材
１１  プリント基板
１２  外枠部材
１３  蓋部材
１５  操作部材
１６  段付きネジ
５０  撮像光学系
【図１】
2005045754.tif 000003
【図２】
2005045754.tif 000004
【図３】
2005045754.tif 000005
【図４】
2005045754.tif 000006
【図５】
2005045754.tif 000007
【図６】
2005045754.tif 000008
【図７】
2005045754.tif 000009
【図８】
2005045754.tif 000010
【図９】
2005045754.tif 000011
【図１０】
2005045754.tif 000012
【図１１】
2005045754.tif 000013
【図１２】
2005045754.tif 000014